(57)【要約】      （修正有）【課題】サッカー選手の技術的スキルを向上させる多目的運動器具を提供する。【解決手段】プレー面１１を含む基礎体１０と、障壁要素２０を備える多目的運動器具であって、基礎体１０のプレー面１１が、基礎体１０の内部から見て少なくとも部分的に凸状の上面１５を有し、基礎体１０が、プレー面１１を基部２から隔てる支持構造部３０を有する。【選択図】図１
0003200839.tif 000002
【実用新案登録請求の範囲】
【請求項１】
特にサッカー選手の技術的スキルを向上させる多目的運動器具であって、プレー面（１１）を含む基礎体（１０）、及び、該基礎体（１０）に配置される障壁要素（２０）を備え、前記基礎体（１０）の前記プレー面（１１）は、該基礎体（１０）の内部から見て少なくとも部分的に凸状の上面（１５）を有し、前記基礎体（１０）は、前記プレー面（１１）を前記基部（２）から隔てる支持構造部（３０）を有する
ことを特徴とする多目的運動器具。
【請求項２】
前記凸状の端面（１５）の曲率半径は３００〜２０００ｃｍである
請求項１に記載の運動器具。
【請求項３】
前記凸状の端面（１５）は、単一の曲面からなる円筒形のシェル部分を含む
請求項１または２に記載の運動器具。
【請求項４】
前記凸状の上面（１５）は、幾つかの湾曲した部分からなる空間的な曲面を含む
請求項１または２に記載の運動器具。
【請求項５】
前記運動器具（１）を支持する前記基部からの前記基礎体（１０）の前記上面（１５）の最下点の隔たり（Ｓ）は、４５〜７５ｃｍである
請求項１ないし４のいずれかに記載の運動器具。
【請求項６】
前記運動器具（１）を支持する前記基部（２）において前記上面（１５）が垂直に突き出す幅（Ｗ）は、１３０〜１８０ｃｍであり、垂直に突き出す長さ（Ｌ）は２７０〜３３０ｃｍである
請求項１ないし５のいずれかに記載の運動器具。
【請求項７】
前記支持構造部（３０）は、該支持構造部（３０）に固定される１つの接続体（３１ａ）、及び、前記プレー領域（１１）を含む前記基礎体（１０）に取り付けられる別の接続体（３１ｂ）を有する付加的な高さ調整ユニット（３１）、並びに、一方の接続体（３１ａ）と他方の接続体（３１ｂ）との間に介装される作動構成要素（３１ｃ）を有する
請求項１ないし６のいずれかに記載の運動器具。
【請求項８】
前記基礎体（１０）は、前記プレー領域（１１）を含む前記上面（１５）が取り付けられる上側部材（１０ａ）、及び、該上側部材の下に位置付けられる下側部材（１０ｂ）であって、該上側部材は可撓性材料から少なくとも部分的に作られ、該下側部材は剛性材料から作られる、上側部材及び下側部材を有し、該上側部材（１０ａ）と該下側部材（１０ｂ）との間に介装される、前記上側部材の曲率を変える曲率調整機構（４０）を更に有する
請求項１ないし７のいずれかに記載の運動器具。
【請求項９】
前記基部（２）に接触する前記支持構造部（３０）の下部（３２）によって覆われる領域は、前記運動器具（１）を支持する前記基部（２）上の前記基礎体（１０）の垂直の突き出しによって境界を定められる領域よりも小さい
請求項１ないし８のいずれかに記載の運動器具。
【請求項１０】
前記障壁要素（２０）は剛性材料製である
請求項１ないし９のいずれかに記載の運動器具。
【請求項１１】
前記障壁要素（２０）は、該障壁要素（２０）の上縁（２１）と、前記基礎体（２）の前記上側部材（１０ａ）の前記凸状の上面（１５）との間の距離を調整する間隔調整構成要素（２２）を伴う
請求項１１に記載の運動器具。
【考案の詳細な説明】
【技術分野】
【０００１】
本出願は、多目的運動器具に関し、具体的には、プレー面を含む基礎体、及び、基礎体に配置される障壁要素を有する、サッカー選手の技術的スキルを向上させる多目的運動器具に関する。
【背景技術】
【０００２】
運動選手のトレーニング用に多くの技術的な装置が開発されている。記載されている装置は、サッカーのボールコントロール及びキック技術を含む球技の技術的スキルに磨きをかけるのに役立つ。
【０００３】
これらのスキルを高める装置は、特許文献１及び特許文献２に記載されている。これらの装置は、本質的に、プレーヤがボールを当てなければならない幾つかの標的を担持する、サッカーのゴール支柱と同様に鉛直に構成される標的体からなる。的中指示ユニットが、標的の打撃を評価し、結果をプレーヤに表示する。この構成は、キックスキルの向上には有用であるが、激しい動きを必要とせず、シュートが動きながらなされる場合に、プレーヤのためのかなりの自由空間を必要とするという不都合点を有する。
【０００４】
特許文献３の明細書は、サッカーと同様のゲームにおいて用いることができる装置に関するものである。この器具は、筐体、及び、ケーシングの中央部の、ボールを受け入れる窪みを含む。特許文献４の明細書は、Ｒｅｘというボードゲームと同様に、支柱によって囲まれた領域に配置される穴に転がして入れなければならないボールで遊ぶスキルゲームを記載している。この構成は、練習としての小ゲームに好適であり、同様にかなりの自由空間を必要とする。更なる不都合点は、これらのゲームが、プレーヤが場所を頻繁に変える激しい動きに関与することを必要としないため、スタミナを向上させないことである。
【先行技術文献】
【特許文献】
【０００５】
【特許文献１】ハンガリー特許第２２２．６４３号
【特許文献２】ハンガリー実用新案登録第２．１８８号
【特許文献３】ハンガリー特許第２２２．４２９号
【特許文献４】ハンガリー実用新案登録第１．９１７号
【考案の概要】
【考案が解決しようとする課題】
【０００６】
本実用新案は、既知のサッカースキル向上装置の不備を排除し、狭い領域で使用することができ、使用する人に頻繁に場所及び姿勢を変えながら動くことを要求し、優れたボールコントロール及びキック技術を求める、運動器具を実現するという目的を有する。これらのスキルが不足している場合、この器具は、プレーする過程でそれらのスキルをかなり向上させるはずである。
【課題を解決するための手段】
【０００７】
本実用新案は、卓球台のような構造の上面に、通常の範囲から逸脱する曲率及び独特な寸法のプレー領域が形成され、担持基部が地面から適切な高さに配置され、次に、プレー面に衝突するボールが全ての場合に運動器具によって占有される空間から外方に跳ねるため、運動器具がいかなる阻止または妨げるような障壁となることもなく、運動器具を使用する人が、適切な動きによって、全ての場合に自身の足または頭でボールに到達することができる場合に、上記の目的を果たすことができるという実現によって達成された。
【０００８】
この目的によると、本実用新案は、特にサッカー選手の技術的スキルを向上させる多目的運動器具であって、プレー面（１１）を含む基礎体（１０）、及び、基礎体（１０）に配置される障壁要素（２０）を備え、基礎体（１０）のプレー面（１１）は、基礎体（１０）の内部から見て少なくとも部分的に凸状の上面（１５）を有し、基礎体（１０）は、プレー面（１１）を基部（２）から隔てる支持構造部（３０）を有する、多目的運動器具である。
【０００９】
本実用新案の運動器具の別の基準は、凸状の上面の曲率半径が３００ｃｍ〜２０００ｃｍであることであり得る。
【００１０】
運動器具の異なる形態では、凸状の上面は、単一の曲面からなる円筒形の筐体を含むか、または、凸状の上面は、幾つかの湾曲した部分からなる空間的な曲面を含む。
【００１１】
本実用新案のまた別の形態では、運動器具を支持する基部からの基礎体の上面の最下点の隔たりは、４５ｃｍ〜７５ｃｍである。運動器具を支持する基部において上面が垂直に突き出す幅は、１３０ｃｍ〜１８０ｃｍであり、一方で、垂直に突き出す長さは２７０ｃｍ〜３３０ｃｍである。
【００１２】
運動器具の別の実施態様では、支持構造部は、支持構造部に固定される１つの接続体、及び、プレー領域を含む基礎体に接合される別の接続体を有する付加的な高さ調整ユニット、並びに、一方の接続体と他方の接続体との間に介装される作動構成要素を有する。
【００１３】
本実用新案の更なる構成では、基礎体は、プレー領域を含む上面が取り付けられる上側部材、及び、上側部材の下に配置される下側部材であって、上側部材は可撓性材料から少なくとも部分的に作られ、下側部材は剛性材料から作られる、上側部材及び下側部材、並びに、上側部材と下側部材との間に介装される、上側部材の曲率を変える曲率調整機構を有する。
【００１４】
運動器具のまた別の形態では、基部に接触する支持構造部の下部によって覆われる領域は、運動器具を支持する基部上の基礎体の垂直の突き出しによって境界を定められる領域よりも小さい。
【００１５】
本実用新案に関して、障壁要素が剛性材料から作られ、障壁要素が、障壁要素の上縁と、基礎体の上側部材の凸状の上面との間の距離を調整する間隔調整構成機構を伴う場合に有利であり得る。
【００１６】
本実用新案の運動器具の特別な設計に由来する最も大きな利点は、狭い領域において、可能性としては屋内でさえも、かなりの身体の動きを伴って、運動器具を使用する人が、ボールの取り扱い及び標的を定めた返球キックを伴う動作を行うことができることである。これらの動作は、人のスタミナ、速さ、ボール感度及びボールコントロールを徐々に発達させる。さらに、これらの動作は、集中力、迅速な状況評価及び意志決定を発達させる。
【００１７】
同様に、利点は、本実用新案の運動器具が、スキルを向上させる装置としての有用性に加えて、サッカーテニスを好む人々に楽しいゲームを提供し、この器具が、はるかに狭い領域において同様のゲームをプレーすることを可能にするという差異があることである。
【００１８】
同様に、利点は、本実用新案の運動器具が、簡単な工具及び既知の製造技術を用いて作るとともに組み立てることができ、それによって、その製造費用を低く保つことができることである。同様に利点は、運動器具が特別な保守を必要としないことである。上記に由来する更なる利点は、適当な支出で、トレーニング及びプレーのための長続きする助けを得ることが可能であることである。
【００１９】
本実用新案の運動器具は、容易に、特別な専門知識なく、組み立て及び分解することができるという更なる利点を有し、したがって、１つの場所から別の場所に容易に移動させることができるため、スキルを向上させる場所を容易に変更することができる。
【００２０】
本実用新案の運動器具は、プレー領域から跳ね返るボールの軌道及び速度を変化させることができるため、同じ運動器具を大人及び子供の双方が用いることができるように作ることができることに留意することが重要である。これは、プレー領域の高さ、及び必要であれば、プレー領域の上面の曲率の所望の範囲への調整のみを伴う。
【００２１】
以下は、図面に基づく、本実用新案の運動器具の、実施態様の１つの形態の詳細な説明である。
【図面の簡単な説明】
【００２２】
【図１】本実用新案の運動器具の可能な形態を一部断面で示す説明図
【考案を実施するための形態】
【００２３】
図１は、ゲームをプレーすることに関して主な身体特性を調整することができる、本実用新案の運動器具１の一形態を示している。なお、運動器具１は、基部２に配置される支持構造部３０を有し、支持構造部３０によって保持される基礎体１０を有する。この形態の基礎体１０は、上側部材１０ａ及び下側部材１０ｂも有する。上側部材１０ａはプレー領域１１を含み、基部２とは反対のその外面１２は凸状の上面１５を有する。凸状の上面１５には、適切に剛性の、好ましくは透明な材料から作られる板状体である障壁要素２０があり、その役割は、プレー領域１１を２つの半体に分割し、（図１に示されていない）ボールが基礎体１０の凸状の上面１５にわたって単に転がることを防止することである。障壁要素２０の高さを調整することを可能にするために、間隔調整構成要素２２が障壁要素２０に割り当てられる。間隔調整構成要素２２は、基礎体１０の上側部材１０ａの凸状の上面１５に載るため、障壁要素２０も支持する。障壁要素２０の上縁２１を、間隔調整構成要素２２によって、凸状の上面１５に対して上げ下げすることができる。最も単純な場合、間隔調整構成要素２２は、凸状の上面１５から突出するとともに、その側面に上下に溝を有する棒であり、それによって、障壁要素２０をこれらの溝のうちの１つに嵌めることができる。
【００２４】
上側部材１０ａは、好適な木材産業の加工によって処理される合板から作られ、特定の限度内で屈曲させて湾曲させることができる。上側部材１０ａの材料とは対照的に、基礎体１０の下側部材１０ｂは剛性材料から作られ、この下側部材１０ｂは、基礎体１０の上側部材１０ａと支持構造部３０とを実質的に接続する。
【００２５】
上側部材１０ａの凸状の上面１５の曲率半径は、３００ｃｍ〜２０００ｃｍであるべきである。本実用新案の場合、凸状の上面１５の曲率半径は、曲率調整機構４０を用いて限度内で変えることができる。この形態における曲率調整機構４０は、上側部材１０ａに固定される接続片４１及び引張機構４２を含む。１つの接続片４１が、上側部材１０ａの各短い方の縁１４付近に配置され、上側部材１０ａの内面１３に固定され、上側部材１０ａの各短い方の縁１４に平行に延びる。引張機構４２は、接続片４１間に配置され、この場合は、並んで配置されるとともに、基礎体１０の下側部材１０ｂに連結される幾つかのねじ切りされた棒からなる。
【００２６】
基礎体１０の長さＬは、２７０ｃｍ〜３３０ｃｍであるべきであり、本実用新案の場合は３００ｃｍである。基礎体１０の幅Ｗは、１３０ｃｍ〜１８０ｃｍであるべきであり、この形態では１４０ｃｍである。この場合は短い方の縁１４における凸状の上面１５の一部である、凸状の上面１５の最下点と、基部２との間の間隔Ｓは、４５ｃｍ〜７５ｃｍであり得る。この形態では、この距離は、支持構造部３０の高さ調整ユニット３１を用いて調整することもできる。
【００２７】
高さ調整ユニット３１は接続体３１ａ及び接続体３１ｂを備え、作動構成要素３１ｃがそれらの間に配置される。高さ調整ユニット３１の接続体のうちの一方３１ａは、支持構造部３０の下部３２に載り、一方で、支持構造部３０の他方の接続体３１ｂは、基礎体１０の下側部材１０ｂに接続する。作動構成要素３１ｃは、基礎体１０と基部２との間の間隔Ｓを連続的に変化させるように手動で作動することができる油圧シリンダである。間隔Ｓを調整可能にすることで、プレー領域１１の凸状の上面１５を下げ、子供等のより小さい人がゲームをプレーすることを可能にすることができることが有利である。高さ調整ユニット３１が基礎体１０と基部２との間の間隔を調整する唯一の手段ではないことに留意されたい。支持構造部３０の高さが一定であるが、異なる高さの幾つかの支持構造部３０が利用可能である別の形態が考えられ、基部２と基礎体１０との間の間隔Ｓは、支持構造部３０全体を交換することによって設定することができる。
【００２８】
図１は、基礎体の全体が基部２の垂直に突き出す外形内にあるように下部３２が設計されていることも示している。これは、基礎体１０の上側体１０ａの凸状の上面１５に対して低いエネルギーで衝突するボールが、凸状の上面１５から基礎体１０の外の領域に短い距離しか跳ねない場合であっても、支持構造部３０が使用者を妨げないことを意味する。
【００２９】
本実用新案の運動器具１を使用するために、基礎体１０と基部２との間の所望の間隔Ｓは、支持構造部３０の高さ調整ユニット３１を用いて設定される。このために、作動構成要素３１ｃに圧送することによって（図２に示されている形態）、基礎体１０、したがって上側部材１０ａの凸状の上面１５を、基部２から４５ｃｍである最も小さい間隔Ｓから、基部２から７５ｃｍである最大の間隔Ｓまで持ち上げることができる。
【００３０】
次に、凸状の上面１５の曲率半径を調整することができる。これは、曲率調整機構４０の引張機構４２を回転させることを伴い、それによって、基礎体１０の上側部材１０ａの短い方の縁１４が互いに近づくかまたは更に離れる。短い方の縁１４が互いに近づく場合、凸状の上面１５の曲率半径は減る。短い方の縁１４が互いから離れる場合、凸状の上面１５の曲率半径は増大する。曲率半径がより長ければ、凸状の上面１５からのボールの跳ね返りが低下し、曲率半径がより短かければ、ボールが基礎体１０から更に跳ね返る。
【００３１】
調整を行った後で、運動器具１を使用する人は、基礎体１０の短い方の縁１４を挟んで位置につき、ゲームのルールに従って、１人の人がボールを蹴り、それによって、ボールは、基礎体１０のプレー領域１１の、ボールを蹴ったプレーヤから障壁要素２０によって隔てられている部分において跳ね返る。基礎体１０の凸状の上面１５から上方及び外方に跳ね返るボールは、ボールが障壁要素２０を越えて飛び、基礎体１０の凸状の上面１５の他方の面で跳ねるように、他方の人が自身の足または頭を用いることによって戻される。ラリーは、一方のプレーヤがボールを返し損なうまで続き、ボールは、プレーヤと障壁要素２０との間の部分のプレー領域１１で跳ね返るか、または、基礎体１０の凸状の上面１５に全く当たらない。
【００３２】
本実用新案の運動器具は、ボールコントロール及びボール方向を発展させ、強さを高めるとともに、集中力、迅速な評価スキル及び意志決定能力を向上させるように、激しい動きを伴う、狭い領域における楽しいゲームによって、所望であればいつでも使用される。
【図１】
0003200839.tif 000003
【手続補正書】
【提出日】平成27年5月29日(2015.5.29)
【手続補正１】
【補正対象書類名】実用新案登録請求の範囲
【補正対象項目名】請求項１
【補正方法】変更
【補正の内容】
【請求項１】
前記障壁要素（２０）は、該障壁要素（２０）の上縁（２１）と、前記基礎体（１０）の前記上側部材（１０ａ）の前記凸状の上面（１５）との間の距離を調整する間隔調整構成要素（２２）を伴う
請求項１０に記載の運動器具。
【手続補正書】
【提出日】平成27年6月24日(2015.6.24)
【手続補正１】
【補正対象書類名】実用新案登録請求の範囲
【補正対象項目名】全文
【補正方法】変更
【補正の内容】
【実用新案登録請求の範囲】
【請求項１】
特にサッカー選手の技術的スキルを向上させる多目的運動器具であって、プレー面（１１）を含む基礎体（１０）、及び、該基礎体（１０）に配置される障壁要素（２０）を備え、前記基礎体（１０）の前記プレー面（１１）は、該基礎体（１０）の内部から見て少なくとも部分的に凸状の上面（１５）を有し、前記基礎体（１０）は、前記プレー面（１１）を前記基部（２）から隔てる支持構造部（３０）を有する
ことを特徴とする多目的運動器具。
【請求項２】
前記凸状の端面（１５）の曲率半径は３００〜２０００ｃｍである
請求項１に記載の運動器具。
【請求項３】
前記凸状の端面（１５）は、単一の曲面からなる円筒形のシェル部分を含む
請求項１または２に記載の運動器具。
【請求項４】
前記凸状の上面（１５）は、幾つかの湾曲した部分からなる空間的な曲面を含む
請求項１または２に記載の運動器具。
【請求項５】
前記運動器具（１）を支持する前記基部からの前記基礎体（１０）の前記上面（１５）の最下点の隔たり（Ｓ）は、４５〜７５ｃｍである
請求項１ないし４のいずれかに記載の運動器具。
【請求項６】
前記運動器具（１）を支持する前記基部（２）において前記上面（１５）が垂直に突き出す幅（Ｗ）は、１３０〜１８０ｃｍであり、垂直に突き出す長さ（Ｌ）は２７０〜３３０ｃｍである
請求項１ないし５のいずれかに記載の運動器具。
【請求項７】
前記支持構造部（３０）は、該支持構造部（３０）に固定される１つの接続体（３１ａ）、及び、前記プレー領域（１１）を含む前記基礎体（１０）に取り付けられる別の接続体（３１ｂ）を有する付加的な高さ調整ユニット（３１）、並びに、一方の接続体（３１ａ）と他方の接続体（３１ｂ）との間に介装される作動構成要素（３１ｃ）を有する
請求項１ないし６のいずれかに記載の運動器具。
【請求項８】
前記基礎体（１０）は、前記プレー領域（１１）を含む前記上面（１５）が取り付けられる上側部材（１０ａ）、及び、該上側部材の下に位置付けられる下側部材（１０ｂ）であって、該上側部材は可撓性材料から少なくとも部分的に作られ、該下側部材は剛性材料から作られる、上側部材及び下側部材を有し、該上側部材（１０ａ）と該下側部材（１０ｂ）との間に介装される、前記上側部材の曲率を変える曲率調整機構（４０）を更に有する
請求項１ないし７のいずれかに記載の運動器具。
【請求項９】
前記基部（２）に接触する前記支持構造部（３０）の下部（３２）によって覆われる領域は、前記運動器具（１）を支持する前記基部（２）上の前記基礎体（１０）の垂直の突き出しによって境界を定められる領域よりも小さい
請求項１ないし８のいずれかに記載の運動器具。
【請求項１０】
前記障壁要素（２０）は剛性材料製である
請求項１ないし９のいずれかに記載の運動器具。
【請求項１１】
前記障壁要素（２０）は、該障壁要素（２０）の上縁（２１）と、前記基礎体（１０）の前記上側部材（１０ａ）の前記凸状の上面（１５）との間の距離を調整する間隔調整構成要素（２２）を伴う
請求項１０に記載の運動器具。